(57)【要約】【課題】  シート交換や洗濯の手間を省き、衛生的なシーツ交換ベッドの提供。【解決手段】  ベッドマット１と、長尺の使い捨てシーツ１６が巻き付けられ、ベッドマット１に隣接して設置されたシーツ供給ロール４と、使い捨てシーツ１６の先端部を着脱可能に把持してシーツ供給ロール４から引き出し、ベッドマット１の上面を覆うシーツ引き出し装置と、引き出された使い捨てシーツ１６をシーツ供給ロール４とベッドマット１との間において切断する切断装置６とを有する。【選択図】          図９
2007029535.tif 000002
【特許請求の範囲】
【請求項１】
ベッドマットと、長尺の使い捨てシーツが巻き付けられ、前記ベッドマットに隣接して設置されたシーツ供給ロールと、該シーツ供給ロールに巻き付けられた使い捨てシーツの先端部を着脱可能に把持し、把持した使い捨てシーツを前記シーツ供給ロールから引き出して前記ベッドマットの上面を覆うシーツ引き出し装置と、該シーツ引き出し装置によって引き出された使い捨てシーツを、前記シーツ供給ロールとベッドマットとの間において切断する切断装置とを有するシーツ交換ベッド。
【請求項２】
前記ベッドマットの周囲に固定枠が上下動可能に配置され、該固定枠は、下降時に前記ベッドマットの上面を覆う使い捨てシーツの周囲部を下方へ押圧固定する請求項１に記載のシーツ交換ベッド。
【請求項３】
前記シーツ供給ロール及びシーツ引き出し装置が前記固定枠に取り付けられ、前記固定枠が上昇したとき、前記シーツ引き出し装置によりシーツ供給ロールから引き出される使い捨てシーツが、前記ベッドマットの上面よりも高い位置にある請求項２に記載のシーツ交換ベッド。
【請求項４】
前記切断装置は、前記固定枠が下降して使い捨てシーツを押圧してから、該使い捨てシーツを切断する請求項２又は３に記載のシーツ交換ベッド。
【請求項５】
前記シーツ引き出し装置は、前記使い捨てシーツの先端部両側を把持すると共に、前記ベッドマットの両側方において前記シーツ供給ロールと交差する方向に摺動可能な一対の把持部を有する請求項１乃至４のいずれかに記載のシーツ交換ベッド。
【発明の詳細な説明】
【技術分野】
【０００１】
本発明は、ベッドマットを自動的に新しいシーツで被覆することができるシーツ交換ベッドに関する。
【背景技術】
【０００２】
快適な睡眠を得るためには、ベッドマットを覆うシーツを頻繁に交換し、常に清潔な状態に保つ必要がある。現状では、ベッドのシーツ交換は、人手によって行うのが一般的である。
ところが、ベッドマットは厚くて重量があるので、その上面をシーツで被覆して、シーツの周囲をベッドマットの下へ差し込むには力を要し、病院やホテルのように多数のベッドが設置されている施設において、皺がないように張りつめた状態でシーツを敷くのは重労働であった。
【０００３】
そこで、シーツ交換を自動的に行う装置として、長尺のシーツを供給ロールに巻き付けておき、供給ロールからシーツを一回分ずつ供給してベッドマット上に敷くと共に、使用後のシーツを回収ロールに巻き戻す自動シーツ交換ベッドが提案されている（特許文献１及び特許文献２参照）。
しかし、回収ロールに巻き戻された使用済みのシーツは、長尺のシーツを全て使い終わるまでベッドに近接して放置されるので、非常に不衛生であるばかりか、汚れたままで長時間経過するため洗濯しても汚れが落ちにくくなってしまう。
【０００４】
【特許文献１】実開昭６０−１０３３６３号公報
【特許文献２】特公平２−３０２４７号公報
【発明の開示】
【発明が解決しようとする課題】
【０００５】
本発明が解決しようとする課題は、ベッドマットの上面を自動的に新しい使い捨てシーツで被覆することができて、シート交換や洗濯の手間を省くことが可能であり、使用済みの使い捨てシーツはベッド近傍から直ちに除去できるため、衛生的なシーツ交換ベッドを提供することにある。
【課題を解決するための手段】
【０００６】
本発明のシーツ交換ベッドは、ベッドマットと、長尺の使い捨てシーツが巻き付けられ、前記ベッドマットに隣接して設置されたシーツ供給ロールと、該シーツ供給ロールに巻き付けられた使い捨てシーツの先端部を着脱可能に把持し、把持した使い捨てシーツを前記シーツ供給ロールから引き出して前記ベッドマットの上面を覆うシーツ引き出し装置と、該シーツ引き出し装置によって引き出された使い捨てシーツを、前記シーツ供給ロールとベッドマットとの間において切断する切断装置とを有する。
【０００７】
前記ベッドマットの周囲に固定枠を上下動可能に配置し、該固定枠が下降した時に、固定枠で前記ベッドマットの上面を覆う使い捨てシーツの周囲部を押圧固定しても良い。
この場合、前記シーツ供給ロール及びシーツ引き出し装置を前記固定枠に取り付け、前記固定枠が上昇したとき、前記シーツ引き出し装置によりシーツ供給ロールから引き出される使い捨てシーツが、前記ベッドマットの上面よりも高い位置にあることが望ましい。  前記切断装置は、前記固定枠が下降して使い捨てシーツを押圧してから、該使い捨てシーツを切断しても良い。
前記シーツ引き出し装置は、前記使い捨てシーツの先端部両側を把持すると共に、前記ベッドマットの両側方において前記シーツ供給ロールと交差する方向に摺動可能な一対の把持部を有することがある。
【発明の効果】
【０００８】
請求項１に係る発明によれば、ベッドマットが自動的にシーツで被覆されるので、シーツ交換に要する労力を省くことができる。
また、使用済みの切断されたシーツは直ちにベッド近傍から取り除くことが可能なため、衛生的であり、使用済みのシーツを洗濯する手間も不要となる。
請求項２に係る発明によれば、ベッドマットの上面を覆う使い捨てシーツを、緊張させて張りつめることができ、使用時に使い捨てシーツが外れたり、弛むのを防ぐことができる。
【０００９】
請求項３に係る発明によれば、シーツ交換時に固定枠を上昇させると、シーツ供給ロール及びシーツ引き出し装置も上昇するので、シーツ供給ロールから引き出された使い捨てシーツがベッドマットに引っかかる心配がない。
請求項４に係る発明によれば、使い捨てシーツを引張って緊張した状態で確実に切断することができる。
請求項５に係る発明によれば、使い捨てシーツの両側を掴んで、ベッドマット上の正確な位置に引き出すことが可能である。
【発明を実施するための最良の形態】
【００１０】
以下、本発明の実施例を図面に基づいて詳細に説明する。
本発明のシーツ交換ベッドは、図１、図２及び図６に示すように、ベッドマット１と、ベッドマット１の両側に長手方向（以下、前後方向と称する）に沿ってそれぞれ配置された土台枠２と、土台枠２の上方にベッドマット１の周囲を囲むように配置された固定枠３と、ベッドマット１に隣接して、その長手方向一端側（以下、前側と称する）に配置されたシーツ供給ロール４と、ベッドマット１の両側にそれぞれ設置されて、固定枠３に取り付けられたシーツ引き出し装置５と、ベッドマット１とシーツ供給ロール４との間に配置された切断装置６と、ベッド周囲に配置されて機器類を覆うカバー７とを備える。
【００１１】
ベッドマット１は、通常のベッドに用いられるものと同様の構造を有し、図示しないベッド基台上に設置される。
土台枠２は、図２に示すように、ベッドマット１よりもやや長く、ベッドマット１の側方下部に、ベッドマット１の側面と平行に配置される。
図３に示すように、土台枠２の上面には、前後方向に沿って収納溝８が形成され、収納溝８内にそれぞれボールネジ９が収納されている。また、各ボールネジ９の前端部は、土台枠２の前端部間に架設された駆動ボールネジ１０に係合される。
【００１２】
駆動ボールネジ１０の中央部はギヤボックス１１を介して第１モータ１２の出力軸に連絡され、第１モータ１２を駆動して駆動ボールネジ１０を回動させると、駆動ボールネジ１０に係合した両側のボールネジ９が互いに逆方向に回動するようになっている。
また、各ボールネジ９の両端部にはそれぞれ支持台１３が螺合され、ボールネジ９が回動すると、前後の支持台１３がボールネジ９に沿って互いに逆方向に移動するようになっている。
さらに、図２及び図８に示すように、各支持台１３には、揺動アーム１４の下端が軸着され、揺動アーム１４の中間部に支持アーム１４’の一端が軸着されると共に、支持アーム１４’の他端が土台枠２の端部に軸着されてている。
【００１３】
固定枠３は、中央部にベッドマット１と同形の空所が形成された中空の枠体であって、図４及び図５に示すように、固定枠３の両側内部にはそれぞれシーツ引き出し装置５が収納されている。
また、図２及び図８に示すように、固定枠３の下端の両側前後部にそれぞれ揺動アーム１４の上端が軸着され、土台枠２内の支持台１３がボールネジ９に沿って両方向へ移動すると、揺動アーム１４は起倒し、この結果、固定枠３が上下動するようになっている。
そして、固定枠３が下限位置まで下降すると、固定枠３の上面がベッドマット１の上面よりも低くなり、固定枠３が上限位置まで上昇すると、固定枠３内に収納されたシーツ引き出し装置５がベッドマット１の上面よりも高くなる。
【００１４】
シーツ供給ロール４は、固定枠３の前端両側に設けられたブラケット１５間に回動自在に架設され、その周面に長尺の使い捨てシーツ１６が巻き付けられている。
使い捨てシーツ１６は紙製で、両側のシーツ引き出し装置５間の距離よりもやや広い幅を有する。
また、シーツ供給ロール４に巻き付けられた使い捨てシーツ１６を使い切ったら、ブラケット１５からシーツ供給ロール４を抜き取って、新しいものと交換できるようになっている。
【００１５】
図４及び図５に示すように、シーツ引き出し装置５は、使い捨てシーツ１６の先端部を把持し、固定枠３の内部を前後方向に摺動する把持部１７を有する。
把持部１７は、後端部がたがいに軸着された上片１８及び下片１９から成る。上片１８の両側面の後部及び中間部にはそれぞれ上部ローラ２０が装着されると共に、下片１９の両側面の後部及び中間部にはそれぞれ下部ローラ２１が装着される。
上部ローラ２０及び下部ローラ２１は、固定枠３の内側面に、前後方向に沿って形成された上部ガイド溝２２及び下部ガイド溝２３内に摺動自在に係合されている。
【００１６】
また、固定枠３の両側部にはそれぞれ前後に対向したプーリ２４が設置され、前後のプーリ２４間にベルト２５が巻回されている。また、一方のプーリ２４の回転軸が第２モータ２６の出力軸にギア２７，２８を介して連結され、第２モータ２６を駆動すると、プーリ２４が回動して、ベルト２５が回転する。
さらに、ベルト２５の下面には把持部１７の上片１８が固定され、ベルト２５が正逆に回転してその下面が前後方向に摺動すると、把持部１７が固定枠３の前後端部間を移動するようになっている。
なお、第２モータ２６はリミットスイッチ等で制御され、第１モータ１２が停止すると自動的に作動し、把持部１７が固定枠３の後端部から前端部に達すると逆回転を開始し、把持部１７が後端部に戻ると停止するようになっている。
【００１７】
下部ガイド溝２３の底面の前部には前凹部２９が形成されると共に、後部には後凹部３０が形成される。
前凹部２９は、前後の下部ローラ２１間の距離よりもやや短く、下部ガイド溝２３の前端からやや距離をおいて形成され、その断面形状は、前後両端部が傾斜した、所謂、船底形となっている。
また、前凹部２９の上方には、前側の下部ローラ２１の軌道を切り換える切換装置が設置される。切換装置は、前凹部２９を、その前後端部を除いて下部ガイド溝２３から区画する水平片３１と、水平片３１の前端に回動可能に取り付けられた前蓋３２と、水平片３１の後端に回動可能に取り付けられた後蓋３３とから成る。
【００１８】
前蓋３２は、下方への回動が規制されて上方へのみ回動できるようになっており、常態では水平片３１と面一となって前凹部２９の前端部を塞いでいる。
後蓋３３は、上方へ向けて付勢され、常態では斜め上方へ回動して、前凹部２９の後端部が開放されている。
後凹部３０は、下部ガイド溝２３の後端に形成され、前後の下部ローラ２１間の距離よりやや長く、前方が深くなるよう傾斜している。
【００１９】
固定枠３の後端部にあった把持部１７が前方へ（シーツ供給ロール４に向かって）摺動し、固定枠３の前端部に接近すると、先ず、前側の下部ローラ２１が斜め上方へ開いた後蓋３３の下を通過して前凹部２９の内部に進入し、下片１９の前端部が下がって把持部１７の前端部が開く。
次いで、前側の下部ローラ２１は前蓋３２を押し上げながら前進し、前凹部２９から脱出するので、下片１９の前端部が上昇して把持部１７の前端部が閉じる。
この時、図４の右半部に示すように、把持部１７の前端部は、固定枠３の前端部から突出して、シーツ供給ロール４に巻き付けられた使い捨てシーツ１６の先端部に達するので、これを把持して閉じることになる。また、前側の下部ローラ２１が前凹部２９から脱出した後は、前蓋３２が再び下がって水平に戻り、後側の下部ローラ２１は前凹部２９に進入することはない。
【００２０】
使い捨てシーツ１６を把持した把持部１７が後退を開始すると、前蓋３２は下方への回動が規制されているので、前側の下部ローラ２１は前凹部２９へ進入することなく、前蓋３２及び水平片３１の上を通過し、さらに、後蓋３３を押し下げながらその上を通り、前凹部２９の後方へ達する。
従って、前側の下部ローラ２１は後側の下部ローラ２１よりも下がることはなく、この結果、下片１９の前端部は下がらずに、把持部１７が使い捨てシーツ１６を把持したまま後退する。
【００２１】
図４の左半部に示すように、把持部１７が固定枠３の後端部に達すると、前後側の下部ローラ２１が後凹部３０内に進入するが、後凹部３０の底面は前側が深いので、前側の下部ローラ２１が後側の下部ローラ２１よりも下方に位置する。
このため、下片１９の前端部が下がって把持部１７が開き、使い捨てシーツ１６の先端部は開放される。
【００２２】
切断装置６は、ベッドマット１とシーツ供給ロール４との間に、幅方向に沿って配置された支持枠３４の上部に設置される（図２）。
切断装置６は、図６及び図７に示すように、支持枠３４の上部両側にそれぞれ設置された駆動プーリ３５及び従動プーリ３６と、駆動プーリ３５及び従動プーリ３６間に掛け回されたベルト３７と、駆動プーリ３５を駆動する第３モータ３８と、ベルト３７の上面に固定されたスライド台３９と、スライド台３９の上面に設置された回転刃４０並びに第４モータ４１とを備える。
【００２３】
第３モータ３８は駆動プーリ３５の下方に設置され、駆動プーリ３５と第３モータ３８とは伝動ベルト４２を介して連結されているので、第３モータ３８を駆動すると、駆動プーリ３５が回動し、駆動プーリ３５と従動プーリ３６に掛け回されたベルト３７がベッドの幅方向に沿って回転し、ベルト３７に固定されたスライド台３９と、その上面に設置された回転刃４０及び第４モータ４１が幅方向に移動する。
なお、第３モータ３８は、スライド台３９が常にベルト３７の上面に位置して、ベッドの幅方向一端と他端との間を正逆方向に移動するよう、回転量が制御される。
【００２４】
回転刃４０は、固定枠３が下限位置にあるとき、使い捨てシーツ１６が回転刃４０の中間部の高さを横切るように設置される。
また、回転刃４０の回転軸は前後方向に沿い、この回転軸と第４モータ４１の出力軸とがタイミングベルト４３で連結され、第４モータ４１を駆動すると、回転刃４０が回転するようになっている。
なお、第４モータ４１は、スライド台３９がベッドの幅方向一端から他端に向けて往動しているときのみ駆動するよう制御される。
【００２５】
以下、このシーツ交換ベッドによるシーツ敷設過程を説明する。
図２に示すように、固定枠３が下降した状態で、左右のブラケット１５間に、使い捨てシーツ１６を巻き付けたシーツ供給ロール４を架設する。シーツ供給ロール４に巻き付けられた使い捨てシーツ１６の先端部は、適宜ガイド具に案内されて後方へ張り出すようになっている。
次いで、手動操作で第１モータ１２を作動させて、駆動ボールネジ１０を回動させると、左右のボールネジ９がたがいに逆回転して前後の支持台１３が土台枠２の端部に接近する。
【００２６】
すると、図８に示すように、支持アーム１４’が起立して揺動アーム１４を押し上げ、この結果、固定枠３と、固定枠３に取り付けられたシーツ引き出し装置５及びシーツ供給ロール４が上昇する。
固定枠３が上限位置まで上昇して停止すると、自動的に第２モータ２６が作動してベルト２５が移動し、この結果、ベルト２５に固定された把持部１７が固定枠３の後端部から前方へ移動し、シーツ供給ロール４に接近する。把持部１７が固定枠３の前端部に達すると、把持部１７の下片１９がいったん開いてから閉じて、上片１８と下片１９とにより使い捨てシーツ１６の先端部を把持する。
【００２７】
次に、第２モータ２６が逆回転して把持部１７は使い捨てシーツ１６を把持したまま後退し、図９に示すように、使い捨てシーツ１６はシーツ供給ロール４から引き出されてベッドマット１の上方を覆う。
把持部１７が固定枠３の後端部に達し、図１０に示すように、ベッドマット１の上方が使い捨てシーツ１６で完全に被覆されると、下片１９が開いて把持部１７は使い捨てシーツ１６の先端部を開放すると共に、第２モータ２６が停止する。
次いで、第１モータ１２が固定枠３上昇時と逆回転して駆動ボールネジ１０が逆回りし、左右のボールネジ９が逆回転して支持台１３が土台枠２の端部から遠ざかる。
【００２８】
すると、図１１に示すように、支持アーム１４’及び揺動アーム１４が倒れて、固定枠３、シーツ引き出し装置５、シーツ供給ロール４及びベッドマット１の上方に張られた使い捨てシーツ１６が下降する。
固定枠３が下限位置まで下降すると、第１モータ１２は停止し、ベッドマット１は固定枠３の中央部から上方へ突出する。また、ベッドマット１の上面を覆う使い捨てシーツ１６の周囲部が固定枠３に押さえられて下方へ引張られ、緊張して張りつめた状態で固定される。
【００２９】
第１モータ１２が停止すると、第３モータ３８及び第４モータ４１が作動し、図１２に示すように、スライド台３９とこれに設置された回転刃４０及び第４モータ４１がベッドの幅方向一端から他端に向かって移動すると共に、回転刃４０が回転する。
回転刃４０が回転しながら移動すると、回転刃４０は下降した使い捨てシーツ１６を横切って幅方向に移動するので、使い捨てシーツ１６はベッドマット１とシーツ供給ロール４との間において切断される。
スライド台３９がベッドの他端に達すると、第４モータ４１は停止し、第３モータ３８は逆回転を開始して、スライド台３９が逆方向に移動する。スライド台３９が再びベッドの幅方向一端に戻ると、第３モータ３８が停止する。
【００３０】
なお、使用済みの使い捨てシーツ１６は、シーツ供給ロール４に巻き付けられた長尺の使い捨てシーツ１６から分離されているので、固定枠３が上昇した時に簡単に除去することができる。
また、固定枠３を昇降させる機構、把持部１７を移動させ、開閉させる機構、回転刃４０を移動させる機構は、上記実施例に限定されず、従来周知の代替技術を用いることもできる。
【図面の簡単な説明】
【００３１】
【図１】本発明の実施例を示すベッドの斜視図。
【図２】本発明の実施例を示すベッドのカバーを外した状態における斜視図。
【図３】本発明の実施例に係る土台枠及び支持台移動機構の斜視図。
【図４】本発明の実施例に係るシーツ引き出し装置の側面図。
【図５】本発明の実施例に係るシーツ引き出し装置の要部正面図。
【図６】本発明の実施例に係る切断装置の正面図。
【図７】本発明の実施例に係る切断装置の要部斜視図
【図８】本発明の実施例を示すベッドの固定枠上昇時の斜視図。
【図９】本発明の実施例を示すベッドのシーツ引き出し途中における斜視図。
【図１０】本発明の実施例を示すベッドのシーツ引き出し終了時の斜視図。
【図１１】本発明の実施例を示すベッドの固定枠下降時の斜視図。
【図１２】本発明の実施例を示すベッドの切断装置作動時の斜視図。
【符号の説明】
【００３２】
１  ベッドマット
２  土台枠
３  固定枠
４  シーツ供給ロール
５  シーツ引き出し装置
６  切断装置
７  カバー
８  収納溝
９  ボールネジ
１０  駆動ボールネジ
１１  ギヤボックス
１２  第１モータ
１３  支持台
１４  揺動アーム
１４’  支持アーム
１５  ブラケット
１６  使い捨てシーツ
１７  把持部
１８  上片
１９  下片
２０  上部ローラ
２１  下部ローラ
２２  上部ガイド溝
２３  下部ガイド溝
２４  プーリ
２５  ベルト
２６  第２モータ
２７，２８  ギア
２９  前凹部
３０  後凹部
３１  水平片
３２  前蓋
３３  後蓋
３４  支持枠
３５  駆動プーリ
３６  従動プーリ
３７  ベルト
３８  第３モータ
３９  スライド台
４０  回転刃
４１  第４モータ
４２  伝動ベルト
４３  タイミングベルト
【図１】
2007029535.tif 000003
【図２】
2007029535.tif 000004
【図３】
2007029535.tif 000005
【図４】
2007029535.tif 000006
【図５】
2007029535.tif 000007
【図６】
2007029535.tif 000008
【図７】
2007029535.tif 000009
【図８】
2007029535.tif 000010
【図９】
2007029535.tif 000011
【図１０】
2007029535.tif 000012
【図１１】
2007029535.tif 000013
【図１２】
2007029535.tif 000014